(57)【要約】      （修正有）【課題】ボイドチューブ材がコンクリートで被覆されたボイドスラブであって、ボイドスラブ内の空間を有効活用でき、生活空間を浄化可能なボイドスラブを提供する。【解決手段】中空部を有する筒状の第１のボイドチューブ材１１が上下左右に所定のかぶり厚でコンクリート１３に被膜されたボイドスラブ１０であって、第１のボイドチューブ材１１の内部に、木炭を含む充填材と、トルマリンを含む充填材とのいずれか又は両方が充填される。【選択図】図１
0003191211.tif 000002
【実用新案登録請求の範囲】
【請求項１】
中空部を有する筒状の第１のボイドチューブ材が、上下左右に所定のかぶり厚でコンクリートに被膜されたボイドスラブであって、
前記第１のボイドチューブ材の内部に、木炭を含む充填材と、トルマリンを含む充填材とのいずれか又は両方が充填されるボイドスラブ。
【請求項２】
発泡プラスチックからなる第２のボイドチューブ材をさらに備え、
前記コンクリートは、前記第１のボイドチューブ材及び前記第２のボイドチューブ材を被覆する請求項１に記載のボイドスラブ。
【請求項３】
前記第１のボイドチューブ材の内部空間と室内空間とを連通させる連通管をさらに備える請求項１または２に記載のボイドスラブ。
【請求項４】
前記連通管として、
前記第１のボイドチューブ材の一端部における内部空間と室内空間とを連通させる第１の連通管と、
前記第１のボイドチューブ材の他端部における内部空間と室内空間とを連通させる第２の連通管とを備える請求項３に記載のボイドスラブ。
【請求項５】
前記第１のボイドチューブ材の長手方向の中央部にトルマリンを含む充填材が充填され、前記トルマリンを含む充填材に対して一端側及び他端側に木炭を含む充填材が充填される請求項１から４のいずれか１項に記載のボイドスラブ。
【請求項６】
前記第１のボイドチューブ材の外周面に波型の凹凸が形成されている請求項１から５のいずれか１項に記載のボイドスラブ。
【請求項７】
前記第１のボイドチューブ材の内部に配置される発熱体をさらに備える請求項１から６のいずれか１項に記載のボイドスラブ。
【考案の詳細な説明】
【技術分野】
【０００１】
本考案は、中空ボイドチューブ材に充填材を収容した空気浄化用のボイドスラブに関する。
【背景技術】
【０００２】
最近のコンクリート系集合住宅の床構造に用いられる中空スラブユニットとして、例えば特許文献１には、三角柱状トラス鉄筋を並行に配置し、そのトラス鉄筋の間に長尺状のパイプ状ボイドチューブ材を配置した中空スラブユニットが開示されている。
【０００３】
このような中空スラブユニットはコンクリート系集合住宅では広く普及しており、無梁、長大スパン構造の大型床版のため住戸内の平面計画が自由にできる、ボイドチューブ材（殺捨型枠）で中空部を形成するため軽量で高い剛性が得られ耐震性に優れている、ボイドスラブ厚が２５０ｍｍから４００ｍｍ程度あるため、極厚の中空スラブユニットは蓄熱量の大きいコンクリート蓄熱層として有効活用が可能などの利点がある。
【先行技術文献】
【特許文献】
【０００４】
【特許文献１】特開２００３−２６８９１２号公報
【考案の概要】
【考案が解決しようとする課題】
【０００５】
しかし、特許文献１の中空スラブユニットにおいては、ボイドチューブ材の内部は空洞とされており、有効活用されていない。
【０００６】
また、ボイドチューブ材の内部が空洞であるために音が乱反射し、遮音性能が低下するという問題がある。
【０００７】
本考案は、前記問題に着目してなされたものであり、ボイドチューブ材で画成された中空部を形成し、その中空部内に空気浄化用の充填材を配置することで、ボイドチューブ材の中空部を空気の換気流路として有効活用できるとともに、遮音性能の向上が図れ、また、充填材に接触することで浄化された空気を居住空間に流動させることで、春夏秋冬、好適な居住環境を維持し健康な生活を営むことができるボイドスラブを提供することを課題としている。
【課題を解決するための手段】
【０００８】
本考案の上記目的は、中空部を有する筒状の第１のボイドチューブ材が、上下左右に所定のかぶり厚でコンクリートに被膜されたボイドスラブであって、前記第１のボイドチューブ材の内部に、木炭を含む充填材と、トルマリンを含む充填材とのいずれか又は両方が充填されるボイドスラブにより達成される。
【０００９】
木炭（竹炭・活性炭などを含む）の主成分である炭素は活発なマイナス電子を豊富に有しており、周囲にマイナス電子を供給することでマイナスイオンを増加させる働き（マイナスイオン作用）がある。また、トルマリンもマイナスイオン作用を備えている。さらに、木炭には、空気中に含まれる匂いの分子を吸着、分解する脱臭、消臭作用や、夏季の湿気を多く含んだ空気を除湿したり冬季の乾燥した空気を加湿する調湿作用、空気中のホルムアルデヒドなどの有害化学物質を吸着、分解する空気清浄作用がある。
【００１０】
本考案のボイドスラブによれば、第１のボイドチューブ材の内部（中空部）に木炭を含む充填材やトルマリンを含む充填材を充填しているので、木炭のマイナスイオン作用や脱臭、消臭作用、調湿作用、空気清浄作用、トルマリンのマイナスイオン作用により、本考案のボイドスラブを用いた住宅等の居住空間の空気を浄化することができる。また、上記の充填材をボイドスラブの第１のボイドチューブ材の内部（中空部）に充填する構成であるため、無利用空間であったボイドチューブ材の内部（中空部）を有効に活用することができる。さらに、ボイドチューブ材の内部に上記の充填材が充填されることで、ボイドチューブ材の内部における音の乱反射を防ぐことができ、遮音性能を向上させることができる。また、ボイドチューブ材の内部に木炭やトルマリンが充填されることにより、ボイドチューブ材の内部が空洞である場合に比べて、断熱・蓄熱効果を高めることができる。また、居住空間の空気を浄化するための手段を別途居住空間内に設置する必要がなくなる。このように、充填材に接触することで浄化された空気を居住空間に流動させることで、春夏秋冬、好適な居住環境を維持し健康な生活を営むことができる。
【００１１】
また、木炭を含む充填材は多孔質微細構造で構成される吸着物質であることが好ましい。多孔質の吸着物質をできる限り微細な粒状に破砕することで空気が接触する面積を大きくすることができる。
【００１２】
上記構成のボイドスラブの好ましい実施態様においては、発泡プラスチックからなる第２のボイドチューブ材をさらに備え、前記コンクリートは、前記第１のボイドチューブ材及び前記第２のボイドチューブ材を被覆することを特徴としている。
【００１３】
前記構成によれば、発泡プラスチックからなる第２のボイドチューブ材を備えることで、ボイドスラブを軽量化することができる。
【００１４】
前記第１のボイドチューブ材の内部空間と室内空間とを連通させる連通管をさらに備えることが好ましい。
【００１５】
前記構成によれば、連通管を通して室内空間の空気が第１のボイドチューブ材の内部に直接取り込まれ、木炭を含む充填材やトルマリンを含む充填材に接触することで、より効果的に居住空間の空気を浄化することができる。
【００１６】
前記連通管として、前記第１のボイドチューブ材の一端部における内部空間と室内空間とを連通させる第１の連通管と、前記第１のボイドチューブ材の他端部における内部空間と室内空間とを連通させる第２の連通管とを備えていてもよい。
【００１７】
前記構成によれば、第１の連通管及び第２の連通管は第１のボイドチューブ材の一端部及び他端部に設けられているため、室内空間の空気を第１のボイドチューブ材の内部空間の一端から他端まで、また他端から一端まで通過させることができる。
【００１８】
このように、室内空間の空気を第１のボイドチューブ材の内部空間を一端から他端まで、また他端から一端まで通過させることで、第１のボイドチューブ材に充填されたこれら充填材をすべて活用して空気を浄化することができ、より効果的に居住空間の空気を浄化することができる。
【００１９】
また、第１の連通管に吸引ファンを設けてもよい。
【００２０】
吸引ファンにより、室内空間の空気を第１のボイドチューブ材の内部空間に効率良く取り込むことができる。
【００２１】
吸引ファンにより第１の連通管から取り込まれた室内空間の空気は、第１のボイドチューブ材の内部空間に充填された木炭を含む充填材、トルマリンを含む充填材に接触することで浄化され、この浄化された空気は第２の連通管である排気口から室内空間全体に改めて放出、流動される。このように、ボイドスラブは、第１のボイドチューブ材を換気流路として用いた空調システムとして機能することができる。
【００２２】
なお、吸引ファンは第２の連通管に設けてもよく、この場合、室内空間の空気は第２の連通管から取り込まれ、第１のボイドチューブ材の内部空間を通過して第１の連通管より室内空間に供給される。
【００２３】
このように、吸引ファンにより取り込まれた空気が、換気流路として用いられる第１のボイドチューブ材内部を通ることで、木炭を含む充填材である炭化物を活性化させる。このため、炭化物は半永久的にその本来の作用効果（すなわち、マイナスイオン作用や脱臭、消臭作用、調湿作用、空気清浄作用などの居住空間の空気を浄化する作用）を持続可能である。
【００２４】
また、第１の連通管または第２の連通管には取り替え可能な給排気口フィルタを設けてもよい。フィルタを設けることで、第１のボイドチューブ材の内部へのごみや埃の侵入を防ぐことができる。また、フィルタを定期的に交換することで、居住空間の空気を浄化する作用をより長期的に維持できる。
【００２５】
さらに、前記第１のボイドチューブ材の長手方向の中央部にトルマリンを含む充填材が充填され、前記トルマリンを含む充填材に対して一端側及び他端側に木炭を含む充填材が充填されてもよい。
【００２６】
前記構成によれば、第１のボイドチューブ材の内部空間には木炭を含む充填材やトルマリンを含む充填材が充填されている。このため、室内空間の空気が第１のボイドチューブ材の内部空間を一端から他端まで、また他端から一端まで通過する場合には、第１のボイドチューブ材に充填されたこれら充填材をすべて活用して空気を浄化することができ、より効果的に居住空間の空気を浄化することができる。
【００２７】
前記第１のボイドチューブ材の外周面に波型の凹凸が形成されていることが好ましい。
【００２８】
日常生活において発生する床衝撃音のうち、特にスリッパのパタパタ音やハイヒールのコツコツ音などの高音域の音を軽量床衝撃音と呼ぶ。本考案によれば、第１のボイドチューブ材の外周面に波型の凹凸が形成されているため、このような軽量床衝撃音が発生した場合に、音波はコンクリートを伝わって第１のボイドチューブ材の外周面の凹凸により乱反射する。このため、音波の共振が発生しにくく、軽量床衝撃音に対する遮音性能を向上させることができる。
【００２９】
本考案のボイドスラブは、前記第１のボイドチューブ材の内部に配置される発熱体をさらに備えてもよい。
【００３０】
木炭を含む充填材が前記第１のボイドチューブ材の内部に充填される場合、木炭は発熱体からの熱を受けることにより遠赤外線を放射する。遠赤外線は人体の表面だけでなく深部まで温める性質があり、人体の血行促進等改善の手助けとしての効果が期待される。このように、第１のボイドチューブ材の内部に発熱体を配置することで木炭を含む充填材は高温となるため、遠赤外線作用を発揮することができる。
【００３１】
また、木炭から放射される遠赤外線がコンクリートを介して居住空間に伝達される。このため、居住空間を暖めることができる。
【００３２】
また、発熱体からの熱を受けて木炭が高温になることにより、木炭からマイナスイオンがより多く発生するとともに、木炭の脱臭、消臭作用、調湿作用、空気清浄作用など、居住空間の空気を浄化する作用をより高めることができる。
【００３３】
さらに、コンクリート打込時の生コンクリートの水分量は重量比で約３０％とされ、そのうち、コンクリートの水和反応に消化される水分は約１５％であり、その他の水分はコンクリート内に滞留する。発熱体の熱はコンクリート内に滞留する水分を除去、乾燥するため、コンクリート材質が安定するとともに、滞留水分に因る結露やカビ、ダニの発生を防止することができる。
【考案の効果】
【００３４】
本考案のボイドスラブによれば、第１のボイドチューブ材の内部（中空部）に木炭を含む充填材やトルマリンを含む充填材を充填しているので、木炭のマイナスイオン作用や脱臭、消臭作用、調湿作用、空気清浄作用、トルマリンのマイナスイオン作用により、本考案のボイドスラブを用いた住宅等の居住空間の空気を浄化することができる。また、上記の充填材をボイドスラブの第１のボイドチューブ材の内部（中空部）に充填する構成であるため、無利用空間であったボイドチューブ材の内部（中空部）を有効に活用することができる。さらに、ボイドチューブ材の内部に上記の充填材が充填されることで、ボイドチューブ材の内部における音の乱反射を防ぐことができ、遮音性能を向上させることができる。また、ボイドチューブ材の内部に木炭やトルマリンが充填されることにより、ボイドチューブ材の内部が空洞である場合に比べて、断熱・蓄熱効果を高めることができる。また、居住空間の空気を浄化するための手段を別途居住空間内に設置する必要がなくなる。このように、充填材に接触することで浄化された空気を居住空間に流動させることで、春夏秋冬、好適な居住環境を維持し健康な生活を営むことができる。
【図面の簡単な説明】
【００３５】
【図１】本考案の一実施形態に係るボイドスラブの断面概略図である。
【図２】鉄筋ユニットおよびボイドチューブ材の構造の斜視図である。
【図３】本考案の他の実施形態を示すボイドスラブの断面図である。
【図４】他の実施形態のボイドスラブの床面の平面図である。
【図５】他の実施形態のボイドスラブの径方向の断面図である。
【図６】他の実施形態の他の例のボイドスラブの長手方向の断面図である。
【図７】本考案の発熱体を備えた他の実施形態を示すボイドスラブの断面図である。
【考案を実施するための形態】
【００３６】
以下、本考案の実施形態について、添付図面を参照しながら説明する。図１は、本願考案の一実施形態に係るボイドスラブ１０の断面概略図を示し、図２は鉄筋ユニット１４およびボイドチューブ材１１、１２の構造の斜視図を示している。
【００３７】
本実施形態のボイドスラブ１０は、中空部を有する筒状の第１のボイドチューブ材１１（殺捨型枠）が、上下左右に所定のかぶり厚でコンクリートに被膜されたコンクリートスラブである。
【００３８】
すなわち、本実施形態のボイドスラブ１０は、筒状の第１のボイドチューブ材１１と、発泡プラスチックからなる第２のボイドチューブ材１２と、コンクリート１３と、鉄筋ユニット１４とを備えている。
【００３９】
図２に示すように、鉄筋ユニット１４は、上下に対向して配置された上端筋１５および下端筋１６と、上端筋１５と下端筋１６との間に配置されるユニット金具１７Ａ，１７Ｂとを備えおり、ユニット金具１７によって第１のボイドチューブ材１１と第２のボイドチューブ材１２が支持されている。なお、図２においてコンクリートは図示していない。
【００４０】
上端筋１５は、図２においてボイドスラブ１０の幅方向に延びる上端主筋１５１と、ボイドスラブ１０の長手方向に延びる上端配力筋１５２とが格子状に配置されたものであり、上端主筋１５１と上端配力筋１５２との交差部が結末線や溶接で固定されている。
【００４１】
下端筋１６は、ボイドスラブ１０の幅方向に延びる下端主筋１６１と、ボイドスラブ１０の長手方向に延びる下端配力筋１６２とが格子状に配置されたものであり、下端主筋１６１と下端配力筋１６２との交差部が結末線や溶接で固定されている。
【００４２】
ユニット金具１７Ａ，１７Ｂは、ボイドスラブ１０の長手方向に延び所定の間隔を開けて配置された２本の下端水平筋１７１ａ、１７１ｂと、複数の逆V字型の支持金持１７２と、ボイドスラブ１０の長手方向に延びる１本の上端水平筋１７３とを備えている（図２において、ユニット金具１７Ｂについては下端水平筋１７１ｂのみを図示している）。支持金持１７２の逆V字型の脚部はそれぞれ下端水平筋１７１ａ、１７１ｂに溶接などで固定されている。また、各支持金持１７２の逆Ｖ字型の頂点は上端水平筋１７３により連結されている。
【００４３】
複数の支持金持１７２は、２つの支持金持１７２の間に第１のボイドチューブ材１１又は第２のボイドチューブ材１２がボイドスラブ１０の幅方向に延びるように配置できる程度の間隔を開けて下端水平筋１７１ａ、１７１ｂに固定されている。２つの支持金持１７２と、第１のボイドチューブ材１１又は第２のボイドチューブ材１２との間には隙間が設けられ、第１のボイドチューブ材１１又は第２のボイドチューブ材１２は２つの支持金持１７２に当接しないように配置される。
【００４４】
ユニット金具１７によって、上端筋１５と下端筋１６の間の間隔がボイドチューブ材１１、１２の高さ以上に保持されている。
【００４５】
図２においては、ボイドスラブ１０の幅方向に２つのユニット金具１７Ａ，１７Ｂが配置されており、ユニット金具１７Ａ，１７Ｂの各支持金持１７２の間に、第１のボイドチューブ材１１と第２のボイドチューブ材１２が所定の間隔を空けて交互に配置されている。
【００４６】
第１のボイドチューブ材１１は材質が鉄の筒状パイプであり、本実施形態では断面が円形状である。パイプの内部には、固形の木炭（活性炭素）を含む充填材１８が充填されている。本実施形態では、木炭として９００℃程度の高温で白炭焼した高温炭を使用している。これは、高温炭は空気中に含まれる匂いの分子や有害化学物質の吸着率が一般の炭に比べ約３倍と極めて高いため、脱臭、消臭作用や空気清浄作用、調湿作用に優れているからである。また、木炭は粒状、顆粒、粉末でもよい。
【００４７】
なお、第１のボイドチューブの材質は紙、プラスチックでもよく、断面形状は楕円形、矩形、三角形でもよい。さらに、木炭を含む充填材１８に代えてトルマリンを含む充填材を用いてもよい。また、木炭を含む充填材１８及びトルマリンを含む充填材の両方を用いてもよい。
【００４８】
第２のボイドチューブ材１２は、発泡ポリスチレン等の硬質発泡プラスチックからなる断面楕円状の棒体である。第２のボイドチューブ材１２は、十分に軽く、かつ、打設されるコンクリート１３によって押し潰れないように一定の強度を有している。
【００４９】
コンクリート１３は、第１のボイドチューブ材１１、第２のボイドチューブ材１２、および鉄筋ユニット１４を被膜している。
【００５０】
ボイドスラブ１０を製造するには、まず、鉄筋ユニット１４の下端筋１６の下端配力筋１６２を集合住宅などのフロア床を形成する型枠（図示せず）上の所定位置にスペーサ（図示せず）を介して並べる。次に、下端配力筋１６２の上に、下端配力筋１６２に対して格子状となるように下端主筋１６１を配置し、下端主筋１６１と下端配力筋１６２との交差部を固定する。
【００５１】
次に、予め２つの支持金持１７２の間に第１のボイドチューブ材１１と第２のボイドチューブ材１２が配置されたユニット金具１７を下端筋１６の上に配置する。そして、ユニット金具１７の上に上端主筋１５１を並べる。さらに、上端主筋１５１の上に、上端配力筋１５２に対して格子状となるように上端配力筋１５２を配置し、上端主筋１５１と上端配力筋１５２との交差部を固定する。そして、ボイドチューブ材１１、１２の浮き止め用のアンカー（図示せず）を型枠と上端筋１５の間に引っ掛け、型枠内にコンクリート１３を流し込んで打設して、第１のボイドチューブ材１１、第２のボイドチューブ材１２、および鉄筋ユニット１４をコンクリート１３で被覆する。このとき、第１のボイドチューブ材１１、第２のボイドチューブ材１２は上下左右に所定のコンクリートかぶり厚を有するようにコンクリート１３で被覆される。
【００５２】
本考案のボイドスラブ１０によれば、第１のボイドチューブ１１の内部に充填されて、木炭を含む充填材１８やトルマリンを含む充填材が、ボイドスラブ１０の周囲の空気中の湿度を調節したり、ボイドスラブ１０の周囲の空気中の匂い成分を吸着させて脱臭を行ったり、ボイドスラブ１０の周囲にマイナスイオンを放出する。このため、居住空間の空気を調整して、居住空間を浄化することができる。また、ボイドチューブの内部に上記の充填材が充填されることで、従来空洞であったボイドチューブ材の内部を有効に活用することができる。
【００５３】
また、発泡プラスチックからなる第２のボイドチューブ材１２を用いているので、ボイドスラブ１０を軽量化することができる。
【００５４】
以上、本考案の一実施形態について説明したが、本考案は上記実施形態に限定されるものではなく、本考案の趣旨を逸脱しない限りにおいて種々の変更が可能である。
【００５５】
第１および第２のボイドチューブ材１１、１２の数や配置の順序は本実施形態に限定されるものではない。例えば、第１のボイドチューブ材１１を第２のボイドチューブ材１２より多く配置してもよく、第２のボイドチューブ材１２は省略して、第１のボイドチューブ材１１のみを設置するようにしてもよい。このように、第１のボイドチューブ材１１を多く配置することで、居住空間の浄化機能をより強めることができる。
【００５６】
また、高さ方向に第１および第２のボイドチューブ材１１、１２を２層積層し、上層のボイドチューブ材１１、１２と、下層のボイドチューブ材１１、１２とが直交する２方向ボイドスラブとしてもよい。
【００５７】
図３、４は本考案の他の実施形態を示す。図３はボイドスラブ１０の断面図であり、室内の床または天井はボイドスラブ１０から構成されている。図４はボイドスラブ１０から構成された床面２１の上面図である。
【００５８】
ボイドスラブ１０は、第１のボイドチューブ材１１の内部空間Ｓ１と室内空間Ｓ２とを連通させる第１の連通管１９Ａ及び第２の連通管１９Ｂとを備えている。第１の連通管１９Ａは、第１のボイドチューブ材１１の一端側に接続され、第１のボイドチューブ材１１の一端部における内部空間Ｓ１と、室内空間Ｓ２とを連通させている。また、第２の連通管１９Ｂは第１のボイドチューブ材１１の他端側に接続され、第１のボイドチューブ材１１の他端部における内部空間Ｓ１と、室内空間Ｓ２とを連通させている。
【００５９】
図３に示すように、第１の連通管１９Ａ及び第２の連通管１９Ｂは、室内の床面２１に開口しており、これらの開口には空気が通過可能な蓋２０が被せられている。
【００６０】
また、第１の連通管１９Ａの開口には室内空間の空気を取り込むための吸引ファン２２が設けられている。
【００６１】
第１のボイドチューブ材１１の長手方向の中央部にはトルマリンを含む充填材１８Ａが充填され、トルマリンを含む充填材１８Ａに対して一端側及び他端側に木炭を含む充填材１８Ｂが充填されている。
【００６２】
その他の構成は図１の実施形態と同様であるため、同一符号を付して説明を省略する。
【００６３】
図３のボイドスラブ１０によれば、室内空間Ｓ２の空気は第１の連通管１９Ａから吸引ファン２２により取り込まれて、第１のボイドチューブ材１１の内部空間Ｓ１を通り、木炭を含む充填材１８Ｂやトルマリンを含む充填材１８Ａによって浄化され、第２の連通管１９Ｂから室内空間Ｓ２に再び供給される。
【００６４】
このように、第１の連通管１９Ａや第２の連通管１９Ｂは第１のボイドチューブ材１１の一端及び他端に設けられているため、室内空間Ｓ２の空気を第１のボイドチューブ材１１の内部空間の一端から他端まで、また他端から一端まで通過させることができる。
【００６５】
第１のボイドチューブ材の内部空間Ｓ１には木炭を含む充填材１８Ｂやトルマリンを含む充填材１８Ａが充填されている。このため、室内空間Ｓ２の空気が第１のボイドチューブ材１１の内部空間Ｓ１を一端から他端まで、また他端から一端まで通過する場合には、第１のボイドチューブ材１１に充填されたこれら充填材１８Ａ，１８Ｂをすべて活用して空気を浄化することができ、より効果的に居住空間の空気を調整、浄化することができる。
【００６６】
なお、吸引ファン２２は第２の連通管１９Ｂに取り付けられていてもよい。この場合、室内空間Ｓ２の空気は第２の連通管１９Ｂから吸引ファン２２により取り込まれて、第１のボイドチューブ材１１の内部空間Ｓ１を通り、木炭を含む充填材１８Ｂやトルマリンを含む充填材１８Ａによって浄化され、第１の連通管１９Ａから室内空間Ｓ２に再び供給される。
【００６７】
連通管１９の数は上記実施形態に限定されるものではなく、例えば、連通管を一つだけ備えていてもよい。この場合は、室内空間の空気は、１つの連通管から取り込まれ、第１のボイドチューブ材１１によって浄化された後、再び同じ連通管から室内空間に供給される。
【００６８】
また、図３の例と異なり、第１のボイドチューブ材１１の長手方向の中央部には木炭を含む充填材１８Ｂが充填され、木炭を含む充填材１８Ｂに対して一端側及び他端側にトルマリンを含む充填材１８Ａが充填されてもよい。
【００６９】
図５は本考案の他の実施形態を示す第１のボイドチューブ材１１の径方向の断面図を示し、第１のボイドチューブ材１１の外周面１１ａに波型の凹凸が形成されている。その他の構成は図１の実施形態と同様であるため、同一符号を付して説明を省略する。なお図５において充填材１８は図示していない。
【００７０】
前記構成によれば、軽量床衝撃音が発生しても、コンクリート１３を伝わって第１のボイドチューブ材１１に達した音波は、第１のボイドチューブ材１１の外周面１１ａの波型の凹凸により乱反射する。このため、音波の共振が発生しにくく、軽量床衝撃音の遮音性能を向上させることができる。
【００７１】
なお、第１のボイドチューブ材１１の外周面１１ａだけでなく、第１のボイドチューブ材１１の内周面にも凹凸が形成されていてもよい。また、第１のボイドチューブ材１１の外周面の波型の凹凸は、断面形状が三角でもよい。また、周期的に凹凸が形成されていてもよく、非周期的に凹凸が形成されていてもよい。
【００７２】
図６は本考案の他の実施形態を示す第１のボイドチューブ材１１の長手方向の断面図を示し、第１のボイドチューブ材１１の外周面１１ａに波型の凹凸が形成されている。その他の構成は図１の実施形態と同様であるため、同一符号を付して説明を省略する。なお図５において充填材１８は図示していない。
【００７３】
前記構成においても、軽量床衝撃音の遮音性能を向上させることができる。
【００７４】
図７は本考案の他の実施形態を示すボイドスラブ１０の断面図である。第１のボイドチューブ材１１の内部に発熱体２３が配置されている。発熱体２３は本実施形態では電気加熱式パネルヒーターであり、ニクロム線を遮熱シートで覆ったものである。発熱体２３は第１のボイドチューブ材１１の内壁面に沿って、第１のボイドチューブ材１１の長さ方向の略全体に亘って延びている。また、発熱体２３の横断面は、第１のボイドチューブ材１１の内周の約１／３の範囲に沿っている。トルマリンを含む充填材１８Ａ及び木炭を含む充填材１８Ｂは、発熱体２３上に載置されるように、第１のボイドチューブ材１１の内部に充填されている。
【００７５】
また、発熱体２３への電力の供給をオンオフするためのスイッチ（図示せず）が室内の床面２１等に設けられる。発熱体２３とスイッチとは電線（図示せず）を介して接続される。電線は、コンクリート１３内に埋め込まれたパイプ（図示せず）内に通される。
【００７６】
本実施形態によれば、第１のボイドチューブ材１１の内部に発熱体２３を配置しているので、木炭を含む充填材１８Ｂは発熱体２３からの熱を受けることで高温となり、遠赤外線作用を発揮する。また、木炭から放射される遠赤外線がコンクリート１３を介して居住空間に伝達されるため、居住空間を暖めることができる。さらに、発熱体２３からの熱を受けて木炭を含む充填材１８Ｂが高温になることにより、木炭を含む充填材１８Ｂからマイナスイオンがより多く発生するとともに、木炭を含む充填材１８Ｂの脱臭、消臭作用、調湿作用、空気清浄作用など、居住空間の空気を浄化する作用をより高めることができる。
【００７７】
さらに、コンクリート打込時の生コンクリートの水分量は重量比で約３０％とされ、そのうち、コンクリートの水和反応に消化される水分は約１５％であり、その他の水分はコンクリート内に滞留する。発熱体２３の熱はコンクリート内に滞留する水分を除去、乾燥するため、コンクリート材質が安定するとともに、滞留水分に因る結露やカビ、ダニの発生を防止することができる。
【００７８】
なお、本実施形態は、発熱体２３が電気加熱式パネルヒーターである例を示したが、発熱体２３は第１のボイドチューブ材１１の内部に温水を循環させる手段であってもよく、その他、種々の態様を用いることができる。
【符号の説明】
【００７９】
１０    ボイドスラブ
１１    第１のボイドチューブ材
１１ａ    第１のボイドチューブ材の外周面
１２    第２のボイドチューブ材
１３    コンクリート
１４    鉄筋ユニット
１８    充填材
１８Ａ  トルマリンを含む充填材
１８Ｂ  木炭を含む充填材
１９Ａ  第１の連通管
１９Ｂ  第２の連通管
２２  吸引ファン
２３  発熱体
【図１】
0003191211.tif 000003
【図２】
0003191211.tif 000004
【図３】
0003191211.tif 000005
【図４】
0003191211.tif 000006
【図５】
0003191211.tif 000007
【図６】
0003191211.tif 000008
【図７】
0003191211.tif 000009